(57)【要約】【課題】  簡単な機構でしかも容易に支柱の支柱の取り付け及び取り外しを行うことが可能で、ツールを用いることなく支柱を固定させ、またその解除を行うことができるロック機構付き支柱固定具を提供することを目的とする。【解決手段】  ロック機構付き支柱固定具１は、支柱９を挿入するための支柱挿入部６を備えた本体２と、支柱挿入部６の内部に揺動可能に軸止されたロック片４と、支柱挿入部６の開口部８を開閉する蓋部材５であって、蓋部材５の開閉に連動してロック片４が揺動するように配置され、それによって支柱挿入部６に挿入された支柱９のロック及び解除を行う蓋部材５とを備えて構成されたことを特徴とする。【選択図】  図１
2010070990.tif 000002
【特許請求の範囲】
【請求項１】
支柱を挿入するための支柱挿入部を備えた本体と、
前記支柱挿入部の内部に揺動可能に軸止されたロック片と、
前記支柱挿入部の開口部を開閉する蓋部材であって、当該蓋部材の開閉に連動して前記ロック片が揺動するように配置され、それによって前記支柱挿入部に挿入された支柱のロック及び解除を行う蓋部材と、
を備えて構成されたことを特徴とするロック機構付き支柱固定具。
【請求項２】
請求項１に記載のロック付き支柱固定具において、
前記支柱挿入部の上部側開口端の本体外周にフランジ部が設けられていることを特徴とするロック機構付き支柱固定具。
【請求項３】
請求項１又は２に記載のロック付き支柱固定具において、
前記支柱挿入部の内部には支柱の挿入抜去を阻害しない位置に前記ロック片を配置するためのロック片収容部が形成され、当該ロック片収容部に前記ロック片が軸止されていることを特徴とするロック機構付き支柱固定具。
【請求項４】
請求項１から３のいずれか１項に記載のロック付き支柱固定具において、
前記ロック片は、長方形の板状部材の長手方向の両端近傍にそれぞれ折り曲げ部が設けられると共に、略中間部に幅方向に貫通する軸孔が形成されていることを特徴とするロック機構付き支柱固定具。
【請求項５】
請求項４に記載のロック付き支柱固定具において、
前記蓋部材は、開閉位置によって前記ロック片の一方側の折り曲げ部と接触する第一接触面と、第二接触面と、第三接触面とを有し、
前記蓋部材を閉じた状態では前記ロック片は前記第一接触面と接触し、
前記本体に軸止された前記蓋部材を開いたときには前記ロック片は前記第二接触面を経由して第三接触面と接触して当該ロック片を前記ロック片収容部内に位置するように案内し、支柱の挿入及び抜脱を可能な状態とすると共に、前記支柱挿入部に支柱を挿入した状態で前記蓋部材を閉じる方向へ動かしたときには前記第二接触面が前記ロック片の一方側の折り曲げ部を押圧して前記ロック片を揺動させ、それによって反対側の折り曲げ部が付勢されて前記挿入部に挿入された支柱を固定するように構成されたことを特徴とするロック機構付き支柱固定具。
【発明の詳細な説明】
【技術分野】
【０００１】
本発明は、ロック機構付き支柱固定具に関し、さらに詳しくは、機構が簡便でしかも確実に支柱を固定し又その取り外しも容易に行うことができるロック機構付き支柱固定具に関する。
【背景技術】
【０００２】
手摺を取り付けるために地面や床面などに支柱を立設する場合、支柱の下端部を地面や床面などに埋設しアンカーボルトなどで固定して設置するのが一般的である。そのような支柱立設具として、例えば、特許文献１に示すものがある。
【０００３】
しかし、支柱を一旦地面などに埋設固定してしまうと、その後に手摺や支柱を取り外したい場合にはその撤去作業が大変である。その他、例えば、駐車場の出入り口や店舗の出入り口など、人や車の出入りを制限したい場所では、必要に応じて支柱を立設して各支柱の間にロープや鎖を架け渡して通行の規制を行うと共に、それ以外の場合は支柱を取り外して通行を自由にすることが望まれることから支柱の取り付け及び取り外しが頻繁に行われる場合がある。そのため、支柱を着脱自在に固定するための支柱の取り付け具が提案されている。例えば、ベース部に挿入した支柱をボルトで固定し、必要に応じてボルトを外して支柱を撤去するものや、支柱と同じ長さの収容部を地面又は床の下側に形成しておき支柱をその中に収容することで人や車ので入りを自由にするというものが知られている。
【０００４】
【特許文献１】実開昭６２−１９４８７０号公報
【発明の開示】
【発明が解決しようとする課題】
【０００５】
しかし、ボルトやネジ止めによって支柱の取り付け又は取り外しを行う場合には、ボルトやネジを回すためのツールが必要となると共に、ボルトやネジを紛失するというおそれもある。
【０００６】
また、支柱を地面や床下に収納するタイプのものは支柱の長さに応じた収容部を形成しなければならず、長い支柱の場合には地面の下に収容部を形成するのも大変且つ面倒である。
【０００７】
そこで、本発明は、かかる問題点に鑑みなされたもので、簡単な機構でしかも容易に支柱の支柱の取り付け及び取り外しを行うことが可能なロック機構付き支柱固定具を提供することを目的とする。
【０００８】
また、本発明は、簡単な機構でありながら、ドライバやレンチなどのツールを用いることなく支柱を固定させ、またその解除を行うことができるロック機構付き支柱固定具を提供することを目的とする。
【課題を解決するための手段】
【０００９】
上記課題を解決するために請求項１に記載の発明は、支柱を挿入するための支柱挿入部を備えた本体と、支柱挿入部の内部に揺動可能に軸止されたロック片と、支柱挿入部の開口部を開閉する蓋部材であって、蓋部材の開閉に連動してロック片が揺動するように配置され、それによって支柱挿入部に挿入された支柱のロック及び解除を行う蓋部材とを備えて構成されたことを特徴とするロック機構付き支柱固定具を提供する。
【００１０】
上記課題を解決するために請求項２に記載の発明は、請求項１に記載のロック付き支柱固定具において、支柱挿入部の上部側開口端の本体外周にフランジ部が設けられていることを特徴とする。
【００１１】
上記課題を解決するために請求項３記載の発明は、請求項１又は２に記載のロック付き支柱固定具において、支柱挿入部の内部には支柱の挿入抜去を阻害しない位置にロック片を配置するためのロック片収容部が形成され、ロック片収容部にロック片が軸止されていることを特徴とする。
【００１２】
上記課題を解決するために請求項４記載の発明は、請求項１から３のいずれか１項に記載のロック付き支柱固定具において、ロック片は、長方形の板状部材の長手方向の両端近傍にそれぞれ折り曲げ部が設けられると共に、略中間部に幅方向に貫通する軸孔が形成されていることを特徴とする。
【００１３】
上記課題を解決するために請求項５記載の発明は、請求項４に記載のロック付き支柱固定具において、蓋部材は、開閉位置によってロック片の一方側の折り曲げ部と接触する第一接触面と、第二接触面と、第三接触面とを有し、蓋部材を閉じた状態ではロック片は第一接触面と接触し、本体に軸止された蓋部材を開いたときにはロック片は第二接触面を経由して第三接触面と接触してロック片をロック片収容部内に位置するように案内し、支柱の挿入及び抜脱を可能な状態とすると共に、支柱挿入部に支柱を挿入した状態で蓋部材を閉じる方向へ動かしたときには第二接触面がロック片の一方側の折り曲げ部を押圧してロック片を揺動させ、それによって反対側の折り曲げ部が付勢されて挿入部に挿入された支柱を固定するように構成されたことを特徴とする。
【発明の効果】
【００１４】
本発明に係るロック付き支柱固定具によれば、支柱挿入部の開口部を覆うための蓋部材の開閉動作を利用して支柱挿入部内に揺動可能に軸止されたロック片を動作させることで支柱挿入部内に挿入された支柱をロック固定することとしたのでドライバやレンチなどのツールを用いることなく支柱を固定させ、またその解除を行うことができるという効果がある。
【００１５】
また、本発明に係るロック付き支柱固定具によれば、簡単な機構でありながら、支柱の取り付け及び取り外しを容易に行うことができるという効果がある。
【発明を実施するための最良の形態】
【００１６】
以下、本発明に係るロック付き支柱固定具の一実施形態について図面を参照しつつ説明する。図１は本発明に係るロック付き支柱固定具の一実施形態の斜視図である。
【００１７】
図示されたロック付き支柱固定具１は、概略として、支柱挿入部６を備えた本体２と、支柱挿入部６の内部に揺動可能に軸止されたロック片４と、支柱挿入部６の開口部８を開閉する蓋部材５を備えて構成されている。
【００１８】
本体２は、堅牢性及び耐久性を確保するために金属製で形成されており、支柱９（図７、図８参照）を挿入可能な形状を有する支柱挿入部６を備えて構成されている。本実施形態では支柱９として断面が円形で中空状のパイプ材を取り付けるための固定具として形成されていることから支柱挿入部６も断面円形の筒状体とされている。しかし、支柱挿入部６の断面形状はこれに限るものではなく、支柱９となるパイプ部材の断面形状に即して適宜な形状とすることができる。例えば、断面が多角形の形状をした支柱９を取り付ける場合にはその形状に即した形状の支柱挿入部６を形成すればよい。支柱挿入部６の底部には底板６ａが設けられており、挿入した支柱９の下端部と当接するようになっている。尚、支柱９を底板６ａに当接させるまで挿入しなくても後述するロック片４によってしっかりと保持固定することもできる。また、支柱挿入部６の内部には、支柱９の挿入抜去を阻害しない位置にロック片４を位置させるためのロック片収容部７が形成されている。これを外側から見ると、図３に示すように、ロック片収容部７は本体２の外側面から突出するようにして形成され、且つ、下から上へ行くに従って次第にその突出幅が大きくなるようにして形成されており、その側面形状は略直角三角形形状を有している。
【００１９】
本体２の上部側、すなわち、支柱挿入部６の上部側開口端の外周にはドーナッツ状のフランジ部３が設けられている。フランジ部３の中央部分は開口されており、支柱９を挿入するための開口部８となっている。また、フランジ部３には後述する蓋部材５が開口部８を開閉可能に軸止されており、この蓋部材５の開閉動作に伴って支柱９の固定並びに解放が行われるようになっている。また、フランジ部３の表面には蓋部材５の外形形状に即した形状の凹部３ａが形成されており、蓋部材５を閉じた際に蓋部材５の表面とフランジ部３の表とが面一になるようになっている（図１、図３参照）。尚、フランジ部３より下側に位置する本体２部分は地面や床面の下に埋設して設置される。
【００２０】
蓋部材５は、図２に示されているように、開口部８を閉塞するための略円形状の蓋部５ａと、蓋部５ａから延伸するようにして形成された開閉補助部５ｂを備えて形成されている。蓋部５ａは開口部８の形状に即して形成されており、蓋部材５が閉じられたときに支柱挿入部６の開口部８を閉塞する部分である。また、開閉補助部５ｂは蓋部５ａのフランジ部３への軸止め側とは反対方向に突出するようにして形成されており、指などで引っ掛けて蓋部材５の開閉を行う部分である。開閉補助部５ｂの先端部には凹みが形成されておりこの部分を指で引っ掛けることで閉じられた状態の蓋部材５を容易に開けることができるようになっている。そして、図４に示すように、蓋部材５の開閉補助部５ｂとは反対側の基部５ｃ側には蓋部材５を開閉自在に本体２に軸止するための図示しない軸が挿入される軸孔５ｄが設けられている。
【００２１】
ロック片４は、図５に示すように、平面形状が略長方形の板状部材であり、その長手方向の両端近傍にはそれぞれ折り曲げ部４ａ、４ｂが設けられている。ロック片４は、支柱９を押圧固定する部材であり、ある程度の荷重に耐え且つ弾力性が要求されるので金属部材で形成することが好ましい。また、ロック片４の略中央の両側縁部には図示しない軸によってロック片収容部７に揺動可能に取り付けるためにロック片４の幅方向に貫通する軸孔４ｃ、４ｃが設けられている。
【００２２】
一方、上述した蓋部材５の基部５ｃ側には、図３に示すように、蓋部材５の開閉動作に伴ってロック片４の一方側の折り曲げ部４ａとそれぞれ接触する第一接触面５ｅと、第二接触面５ｆと、第三接触面５ｇが形成されている。各接触面同士は所定の角度をもって配置されている。図６に示すように、蓋部材５を閉じた状態ではロック片４の折り曲げ部４ａと第一接触面５ｅは緩やかに接触した状態となっている。そして、本体２に軸止された蓋部材５を開くとロック片４の折り曲げ部４ａは第二接触面を経由して第三接触面と接触してロック片４をロック片収容部７内に位置するように案内する（図７参照）。この状態ではロック片４はロック片収容部７内に位置しているので支柱９の挿入を妨げることはない。また、ロック片４の折り曲げ部４ｂ側も折り曲げられているので支柱９の下端部が引っ掛かることもなくスムーズな支柱９の取り付けが可能となる。
【００２３】
支柱挿入部６に支柱９を挿入した状態で蓋部材５を閉じる方向に動かすと、折り曲げ部４ａは第三接触面５ｇから今度は第二接触面５ｆと接触することになり、第二接触面５ｆは折り曲げ部４ａを押圧してロック片４を揺動させる。そのため反対側の折り曲げ部４ｂが付勢されて支柱９に押し付けられる（図８参照）。これにより支柱９が支柱挿入部６内でしっかりと固定される。尚、支柱９を取り外す場合には、蓋部材５を開く方向に動かすことで蓋部材５の第三接触面５ｇが折り曲げ部４ａと接触するようにすれば蓋部材５によるロック片４の付勢が解除されるので図７に示す状態となり、支柱９は簡単に取り外すことができる。
【００２４】
次に、上述したロック付き支柱固定具１の動作について説明する。はじめに、地面又は床面に埋設されたロック付き支柱固定具１の蓋部材５を開く。蓋部材５の開閉補助部５ｂには凹みが形成されているのでそこを指で引っ掛けることにより簡単に開けることができる。蓋部材５を完全に開ききるまで動かすと、ロック片４の折り曲げ部４ａは蓋部材５の基部５ｃに形成された第一接触面５ｅから第二接触面５ｆを経て第三接触面５ｇと接触した状態となる。このときロック片４はロック片収容部７内に位置しているので支柱挿入部６への支柱９の挿入を妨げることはない。この状態で支柱９をその下端部が底板６ａに当接するまで支柱挿入部６に挿入する。そして、蓋部材５を閉じる方向に動かす。すると、折り曲げ部４ａと接触していた第三接触面５ｇが蓋部材５の動きに伴って今度は第二接触面５ｆと接触することになる。この状態では折り曲げ部４ａは第二接触面５ｆに押圧された状態となるのでロック片４が揺動して折り曲げ部４ｂが付勢されて支柱９の側面と密接された状態となる。これにより支柱９はロック片４によってしっかりと固定される。尚、支柱９を取り外す場合には、蓋部材５を開く方向に動かすことで上述した図７に示す状態とし、それによって支柱９を取り外すことができる。
【００２５】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【図面の簡単な説明】
【００２６】
【図１】本発明に係るロック付き支柱固定具の一実施形態の斜視図である。
【図２】ロック付き支柱固定具の平面図である。
【図３】ロック付き支柱固定具の側面図である。
【図４】蓋部材の側面図である。
【図５】ロック片の斜視図である。
【図６】ロック付き支柱固定具の断面図である。
【図７】支柱を挿入した状態のロック付き支柱固定具の断面図である。
【図８】支柱を固定した状態のロック付き支柱固定具の断面図である。
【符号の説明】
【００２７】
１      ロック付き支柱固定具
２      本体
３      フランジ部
３ａ      凹部
４      ロック片
４ａ      折り曲げ部
４ｂ      折り曲げ部
４ｃ      軸孔
５      蓋部材
５ａ      蓋部
５ｂ      開閉補助部
５ｃ      基部
５ｄ      軸孔
５ｅ      第一接触面
５ｆ      第二接触面
５ｇ      第三接触面
６      支柱挿入部
６ａ底板
７      ロック片収容部
８      開口部８
９      支柱９
【図１】
2010070990.tif 000003
【図２】
2010070990.tif 000004
【図３】
2010070990.tif 000005
【図４】
2010070990.tif 000006
【図５】
2010070990.tif 000007
【図６】
2010070990.tif 000008
【図７】
2010070990.tif 000009
【図８】
2010070990.tif 000010